(57)【特許請求の範囲】
【請求項１】
走行機台（１）上に搭載した脱穀機（Ａ）で脱穀処理された一番物を一時貯留する穀粒タンク（２）へ搬送する搬送経路に枝梗処理装置（４）を設けたコンバインにおいて、扱胴（１０）を収蔵する扱室（１１）と、この扱室（１１）と並設して扱室（１１）から送出される二番物を処理する処理胴室（１３）と、この処理胴室（１３）の下方で一番物受樋（５）上方の空間部（３）に枝梗を除去する枝梗処理装置(４)を配設し、前記枝梗処理装置(４)は、処理歯（２０）を植設した処理胴（２１）の下周に受網（２２）を張設した処理室（２３）を設け、脱穀部の底部に配設された一番物受樋(5)の終端部に一番物を跳上搬送するスロワー（２５）と前記処理室（２３）を連通し、更に前記処理室（２３）と前記穀粒タンク（２）へ揚上移送する揚穀筒（２６）の下部とを受樋（２４）を介して連通したことを特徴とする枝梗処理装置を有するコンバイン。
【発明の詳細な説明】
【０００１】
【産業上の利用分野】
本発明は、脱穀後の１番物中に混入する枝梗付き粒を処理する枝梗処理装置を有するコンバインに関するものである。
【０００２】
【従来の技術】
従来、収穫した１番物中には枝梗付き粒が混入していて後行程である乾燥機や籾摺機等の搬送経路において詰まりが発生し、また、そのものを種用として用いると播種が均等にならず不揃いになるから、この枝梗付き粒を処理するための枝梗処理装置なるものが開発されている。
【０００３】
【発明が解決しようとする課題】
本発明は、この従来の枝梗処理装置なるものをコンバインの一部として組込み、脱穀後の１番物には枝梗付き粒の処理が行われるものにし、その場合、コンバインの機体の全高・全幅を増大させることのないようにしコンパクト構成にすることを目的として発明に至ったものである。
【０００４】
【課題を解決するための手段】
そこで、本発明は前項に記載の目的を達成するものにするために、走行機台（１）上に搭載した脱穀機（Ａ）で脱穀処理された一番物を一時貯留する穀粒タンク（２）へ搬送する搬送経路に枝梗処理装置（４）を設けたコンバインにおいて、扱胴（１０）を収蔵する扱室（１１）と、この扱室（１１）と並設して扱室（１１）から送出される二番物を処理する処理胴室（１３）と、この処理胴室（１３）の下方で一番物受樋（５）上方の空間部（３）に枝梗を除去する枝梗処理装置(４)を配設し、前記枝梗処理装置(４)は、処理歯（２０）を植設した処理胴（２１）の下周に受網（２２）を張設した処理室（２３）を設け、脱穀部の底部に配設された一番物受樋(5)の終端部に一番物を跳上搬送するスロワー（２５）と前記処理室（２３）を連通し、更に前記処理室（２３）と前記穀粒タンク（２）へ揚上移送する揚穀筒（２６）の下部とを受樋（２４）を介して連通したものである。
【０００５】
【作用】
これによって、扱室（１１）の終端部から揺動選別へ落下する穀粒には枝梗の付着が多く含みそれらを扱室（１１）の終端部に設けた排塵処理する処理胴室（１３）で扱ぎ作用を付加することにより枝梗を除去することが可能となり、また扱室と排塵物を処理する処理胴室（１３）を並設するために大きく張設した脱穀機の下方側には大きな空間部（３）が構成されている。そこに本発明である枝梗処理装置（４）をこの空間部（３）に構成することで枝梗を除去する処理室の性能の向上ともに、処理能力が大容量処理室の枝梗処理装置（４）が構成できコンパクトな脱穀機が構成のできるのである。
【０００６】
【実施例】
以下、本発明に関して実施例図を参照して具体的に説明すると、この例図に示すコンバインの構成の概略は「図３」に示すように、走行機台（１）上の左側に脱穀機（Ａ）を搭載し右側に操縦部（８）とエンジン（Ｅ）を上下の状態に配設し、その後側に穀粒タンク（２）を設けて、その穀粒タンク（２）を脱穀機（Ａ）横に隣設し、脱穀機（Ａ）の前方に刈取部（Ｂ）を設けるとともに、後方に藁カッタ−（Ｃ）が連設されて、刈取部（Ｂ）で穀稈を刈取りその刈取穀稈を脱穀機（Ａ）に搬送して脱穀処理し脱穀済の排藁を後方に搬出して藁カッタ−（Ｃ）で細断し、脱穀処理された１番物は穀粒タンク（２）に貯留したのち排出オ−ガ（９）により適所に取出すようにしている。
【０００７】
そして、脱穀機（Ａ）は扱胴（１０）を収蔵する扱室（１１）と、この扱室（１１）に並設して扱室（１１）の終端がわの送塵口から送出されるものを処理する処理胴（１２）内蔵の処理胴室（１３）と、扱胴（１０）の軸方向に揺動し扱室（１１）の下方から後方にかけて装架された揺動選別体（１４）と、該揺動選別体（１４）の始端側下方に設置する唐箕ファン（１５）と終端がわに設けた横断流ファン（１６）の間に形成された選別風路（１７）等から構成され、選別風路（１７）の底部には唐箕ファン（１５）がわから１番物受樋（５）と２番物受樋（１８）が横設されてフィ−ドチエン（１９）を左側にして搭載してある。
【０００８】
次に、「図１」と「図２」によって本発明のものを記載する。そこで、前記のように扱室（１１）と並設した処理胴室（１３）とその下方の揺動選別体（１４）が配置されて構成されることによって、処理胴室（１３）下方における揺動選別体（１４）の側方、即ち、穀粒タンク（２）がわの脱穀機（Ａ）の下部がわには空間部（３）が形成され、この空間部（３）に前記１番物受樋（５）に集合する１番物の枝梗処理装置（４）を設置している。
【０００９】
この枝梗処理装置（４）は、周面に処理歯（２０）を有する処理胴（２１）を内蔵し下側周りを受網（２２）で構成した処理室（２３）とその受網（２２）の網目を通過して落下するものを受けて集合する受樋（２４）からなり、前記の１番物樋（５）の横送り終端部をスロワ−（２５）を介して処理室（２３）に連通し、受樋（２４）の底部開口を穀粒タンク（２）に１番物を揚上し投入する揚穀筒（２６）の下部に連通してある。
【００１０】
また、別実施例として「図４」に示すように、穀粒タンク（２）の脱穀機（Ａ）に隣接する側の側板（２７）の下部がわを内側に入り込ませて凹所を設けることによってそこに空間部（３）を形成している。
そして、この空間部（３）に処理室（２３）と受樋（２４）とからなるものを設置させ、該装置（４）の処理室（２３）に１番物受樋（５）の横送り終端部をスロワ−（２５）を介して連通し、受樋（２４）の底部開口を揚穀筒（２６）に連通しているのである。
【００１１】
したがって、扱室（１１）と処理胴室（１３）によって脱穀されたものは揺動選別体（１４）の揺動と選別風路（１７）を吹流する風によって選別されて１番物受樋（５）には１番物が集合するのであるが、穀粒タンク（２）がわの脱穀機（Ａ）の下部がわに形成された空間部（３）に設置の枝梗処理装置（４）にスロワ−（２５）によって供給され、１番物中に混入する枝梗付き粒が処理されてこの処理されたものが揚穀筒（２６）により揚上され穀粒タンク（２）に投入されるようになる。
また、別実施例のものは、脱穀機（Ａ）がわの穀粒タンク（２）の下部がわに形成された空間部（３）に設置の枝梗処理装置（４）により１番物受樋（５）に集合する１番物が処理作用を受けて揚穀筒（２６）によって揚上され穀粒タンク（２）に貯留されるのである。
なお、処理胴（２１）の回転を矢印方向にして受網（２２）を通過したものを受樋（２４）の底部開口への流動をよいものにしている。
【００１２】
このように、枝梗処理装置（４）は脱穀機（Ａ）の下部がわに形成される空間部（３）または穀粒タンク（２）の下部がわに形成される空間部（３）に設置されて、１番物を穀粒タンク（２）に貯留する前に混入している枝梗付き粒の処理を行うのであるから、脱穀機（Ａ）または穀粒タンク（２）のどちらか、例えば穀粒タンク（２）を縦軸にして外側方に回動可能にするかの手段を講じて枝梗処理装置（４）を露呈できるようにしておけばメンテナンス性がよい。
【００１３】
また、隣設する脱穀機（Ａ）と穀粒タンク（２）の両者の隣接する側にそれぞれ空間部（３）を形成するとその空間部（３）は合成されることによって空間部（３）が大きなものに形成され枝梗処理装置（４）を大容量のものにして処理性能が向上する。
【００１４】
【発明の効果】
本発明は以上詳述したように、走行機台（１）上に搭載した脱穀機（Ａ）で脱穀処理された一番物を一時貯留する穀粒タンク（２）へ搬送する搬送経路に枝梗処理装置（４）を設けたコンバインにおいて、扱胴（１０）を収蔵する扱室（１１）と、この扱室（１１）と並設して扱室（１１）から送出される二番物を処理する処理胴室（１３）と、この処理胴室（１３）の下方で一番物受樋（５）上方の空間部（３）に枝梗を除去する枝梗処理装置(４)を配設し、前記枝梗処理装置(４)は、処理歯（２０）を植設した処理胴（２１）の下周に受網（２２）を張設した処理室（２３）を設け、脱穀部の底部に配設された一番物受樋(5)の終端部に一番物を跳上搬送するスロワー（２５）と前記処理室（２３）を連通し、更に前記処理室（２３）と前記穀粒タンク（２）へ揚上移送する揚穀筒（２６）の下部とを受樋（２４）を介して連通したものであるから枝梗を除去する処理室の性能を向上させつことが可能で、大型の枝梗処理装置（４）が構成でき、その枝梗処理装置（４）の組込みによりコンバインの機体の全高はもとより全幅も増大させることがなくコンパクトな脱穀機が構成のできるのである。
【図面の簡単な説明】
【図１】脱穀機の縦断後方視図である。
【図２】脱穀機の左縦断側面図である。
【図３】コンバイン全体の概略左側面図である。
【図４】別実施例の縦断後方視図である。
【符号の説明】
Ａ        脱穀機
１        走行機台
２        穀粒タンク
３        空間部
４        枝梗処理装置
５        １番物受樋
１０      扱胴
１１      扱室
１３      処理胴室
２０      処理歯
２１      処理胴
２２      受網
２３      処理室
２４      受樋
２５      スロワー
２６      揚穀筒
【図１】
0003574507.tif 000002
【図２】
0003574507.tif 000003
【図３】
0003574507.tif 000004
【図４】
0003574507.tif 000005
【図５】
0003574507.tif 000006